(57)【要約】  速結端子ユニットは、端子部（３０）と、絶縁性のケース部（４０）と、絶縁性のカバー部（５０）とを備える。端子部（３０）は、回路遮断器の電源側または負荷側のねじ端子部に先端側が接続され且つ基端側にスプリング（３２）が設けられる。ケース部（４０）は、端子部（３０）が挿入される第１開口部（６１）と端子部（３０）の先端側を外部に突出させる第２開口部（６２）が設けられる。カバー部（５０）は、電線のケース部（４０）内への挿入をガイドする第１ガイド孔（５２）と、電線をケース部（４０）内から抜去する工具のケース部（４０）内への挿入をガイドする第２ガイド孔（５３）を有し、第１開口部（６１）を塞いだ状態でケース部（４０）に係合される。
2020188796.tif 000002
【特許請求の範囲】
【請求項１】
回路遮断器に取り付けられる速結端子ユニットであって、
前記回路遮断器の電源側または負荷側のねじ端子部に先端側が接続され且つ基端側にスプリングが設けられた端子部と、
前記端子部が挿入される第１開口部と前記端子部の先端側を外部に突出させる第２開口部が設けられた絶縁性のケース部と、
電線の前記ケース部内への挿入をガイドする第１ガイド孔と、前記電線を前記ケース部内から抜去する工具の前記ケース部内への挿入をガイドする第２ガイド孔を有し、前記第１開口部を塞いだ状態で前記ケース部に係合される絶縁性のカバー部と、を備える
ことを特徴とする速結端子ユニット。
【請求項２】
前記ねじ端子部を上部から覆い且つ前記第２開口部を塞ぐ端子カバーを備える
ことを特徴とする請求項１に記載の速結端子ユニット。
【請求項３】
請求項１または２に記載の速結端子ユニットと、
前記回路遮断器と、を備える
ことを特徴とする回路遮断装置。
【発明の詳細な説明】
【技術分野】
【０００１】
本発明は、配線用遮断器に取り付けられる速結端子ユニットおよび回路遮断装置に関する。
【背景技術】
【０００２】
従来、回路遮断器の導電端子に電線を接続する際に、電線を接続する作業時間を短縮することを可能とした速結端子ユニットが知られている。例えば、特許文献１には、導電端子がねじ端子である配線用遮断器に取り付けられる速結端子ユニットが開示されている。かかる速結端子ユニットは、スプリングなどの部材が配置された絶縁性のケース部が絶縁性のカバー部で蓋をされる構成を有している。かかるカバー部は、例えば、リベットなどによってケース部に固定される。
【先行技術文献】
【特許文献】
【０００３】
【特許文献１】特開２００８−４１６１０号公報
【発明の概要】
【発明が解決しようとする課題】
【０００４】
しかしながら、速結端子ユニットがカバー部をリベットでケース部に固定する構成である場合、ケース部にリベットを通す孔であるリベット孔が設けられる。かかるリベット孔は、通電部との絶縁性を確保するために規格で決められた絶縁距離を確保できる位置に設けられることから、速結端子ユニットの外形が、リベットがない場合と比べて大きくなる場合がある。【０００５】
本発明は、上記に鑑みてなされたものであって、リベットを用いることなくケース部にカバー部を取り付けることができる速結端子ユニットを得ることを目的とする。
【課題を解決するための手段】
【０００６】
上述した課題を解決し、目的を達成するために、本発明の速結端子ユニットは、端子部と、絶縁性のケース部と、絶縁性のカバー部とを備える。端子部は、回路遮断器の電源側または負荷側のねじ端子部に先端側が接続され且つ基端側にスプリングが設けられる。ケース部は、端子部が挿入される第１開口部と端子部の先端側を外部に突出させる第２開口部が設けられる。カバー部は、電線のケース部内への挿入をガイドする第１ガイド孔と、電線をケース部内から抜去する工具のケース部内への挿入をガイドする第２ガイド孔を有し、第１開口部を塞いだ状態でケース部に係合される。
【発明の効果】
【０００７】
本発明によれば、リベットを用いることなくケース部にカバー部を取り付けることができる、という効果を奏する。
【図面の簡単な説明】
【０００８】
【図１】本発明の実施の形態１にかかる回路遮断装置の外観斜視図
【図２】実施の形態１にかかる回路遮断装置の分解斜視図
【図３】実施の形態１にかかる速結端子ユニット本体の外観斜視図
【図４】実施の形態１にかかる速結端子ユニット本体の分解斜視図
【図５】実施の形態１にかかる端子部の外観斜視図
【図６】実施の形態１にかかる速結端子ユニットのケース部の外観斜視図
【図７】図６に示すVII−VII線に沿った断面図
【図８】実施の形態１にかかる速結端子ユニットにおける端子部のケース部への組み込み方法を説明するための図
【図９】実施の形態１にかかるカバー部の外観斜視図
【図１０】実施の形態１にかかる端子カバーの外観斜視図
【図１１】実施の形態１にかかる端子カバーの外観斜視図
【図１２】図１に示すXII−XII線に沿った断面図
【図１３】実施の形態１にかかる回路遮断装置において端子カバーが取り付けられていない状態の図１に示すXII−XII線に沿った断面図
【図１４】実施の形態１にかかる回路遮断器に速結端子ユニットを取り付けた状態における速結端子ユニット本体と端子カバーとの位置関係を示す外観斜視図
【発明を実施するための形態】
【０００９】
以下に、本発明の実施の形態にかかる速結端子ユニットおよび回路遮断装置を図面に基づいて詳細に説明する。なお、この実施の形態によりこの発明が限定されるものではない。
【００１０】
実施の形態１．
図１は、本発明の実施の形態１にかかる回路遮断装置の外観斜視図である。図１に示すように、実施の形態１にかかる回路遮断装置１００は、電路を遮断する回路遮断器１０と、かかる回路遮断器１０の電源側と負荷側に各々取り付けられた２つの速結端子ユニット２０とを備える。回路遮断器１０の電源側に取り付けられる速結端子ユニット２０と回路遮断器１０の負荷側に取り付けられる速結端子ユニット２０は互いに同じ構成である。
【００１１】
回路遮断器１０は、例えば、低圧配電機器における過電流保護または短絡電流保護を目的とする遮断器であり、ＣＰ（Circuit  Protector）とも呼ばれる。かかる回路遮断器１０は、接続される電路に過電流または短絡電流が流れたときに電路を閉状態から開状態にする不図示の開閉機構を有する。本実施の形態１では、回路遮断器１０は、１極の回路遮断器であるが、２極の回路遮断器であってもよく、３極の回路遮断器であってもよい。
【００１２】
図２は、実施の形態１にかかる回路遮断装置の分解斜視図である。図２に示すように、回路遮断器１０は、電路の開閉を行う回路遮断装置本体１１と、回路遮断装置本体１１に移動可能に取り付けられる可動爪１２とを備える。かかる可動爪１２は、不図示のＩＥＣ（International  Electrotechnical  Commission）レールに保持力を与えているスプリングを引っ張るために用いられる。また、回路遮断装置本体１１には、固定爪１１ａが形成されており、かかる固定爪１１ａと可動爪１２によって、回路遮断装置本体１１がＩＥＣに着脱可能に取り付けられる。
【００１３】
また、回路遮断器１０は、回路遮断装置本体１１の電源側に設けられるねじ端子部１３と、回路遮断装置本体１１の負荷側に設けられるねじ端子部１４とを備える。なお、図２では、電源側のねじ端子部１３は、回路遮断装置本体１１の筐体に隠れて見えない位置にある。ねじ端子部１３には、不図示の電源に電線を介して接続され、ねじ端子部１４は、不図示の負荷に電線を介して接続される。
【００１４】
速結端子ユニット２０は、回路遮断器１０における電源側または負荷側に連結される速結端子ユニット本体２１を備える。速結端子ユニット本体２１にはＹ字状の端子３３が設けられており、端子ねじ１５によって端子３３が回路遮断器１０のねじ端子部１３に締め付けられることで、端子３３が不図示の電源に電気的に接続される。また、端子ねじ１６によって端子３３が回路遮断器１０のねじ端子部１４に締め付けられることで端子３３が不図示の負荷に電気的に接続される。
【００１５】
回路遮断器１０には、遮断時の内部圧力を回路遮断器１０の外部へ排出する排気経路１１ｂが負荷側に設けられている。速結端子ユニット本体２１には、速結端子ユニット本体２１が回路遮断器１０に取り付けられた場合に、速結端子ユニット本体２１によって排気経路１１ｂが塞がれないように、排気経路１１ｂと対向する位置に複数の排気孔４８が形成される。
【００１６】
また、速結端子ユニット本体２１には、不図示のＩＥＣレールから回路遮断器１０を取り外す際に上述した可動爪１２が挿入される孔４９が形成されている。これにより、回路遮断器１０の負荷側に速結端子ユニット２０を取り付けた状態であっても、不図示のＩＥＣレールから回路遮断器１０を取り外すことができる。
【００１７】
２つの速結端子ユニット本体２１を回路遮断器１０の電源側と負荷側とに連結した状態では、電源側のねじ端子部１３と、負荷側のねじ端子部１４とが外部に露出した状態である。そのため、速結端子ユニット２０は、電源側のねじ端子部１３または負荷側のねじ端子部１４を上部から塞ぐ絶縁性の端子カバー２２を備える。
【００１８】
端子カバー２２には、凸部７３ａが設けられる。回路遮断器１０の電源側と負荷側には丸孔１１ｃが形成されており、かかる丸孔１１ｃに端子カバー２２の凸部７３ａが挿入されることで端子カバー２２が回路遮断器１０に取り付けられる。
【００１９】
以下、速結端子ユニット２０の構成についてさらに具体的に説明する。図３は、実施の形態１にかかる速結端子ユニット本体の外観斜視図である。図４は、実施の形態１にかかる速結端子ユニット本体の分解斜視図である。
【００２０】
図３および図４に示すように、速結端子ユニット本体２１は、電源側のねじ端子部１３または負荷側のねじ端子部１４に接続される導電性の端子部３０と、端子部３０の先端側を外部に突出させた状態で端子部３０を内部に収納する絶縁性のケース部４０と、ケース部４０の上部を塞ぐ絶縁性のカバー部５０とを備える。
【００２１】
端子部３０は、図４に示すように、ケース部４０の上部に設けられた第１開口部６１から挿入される。そして、端子部３０は、図３に示すように、ケース部４０の側部に設けられた第２開口部６２から先端側が突出した状態でケース部４０に組み込まれる。カバー部５０は、ケース部４０に端子部３０が配置された状態でケース部４０の第１開口部６１に挿入されケース部４０の上部に嵌め込まれる。これにより、ケース部４０の上部がカバー部５０によって塞がれる。
【００２２】
ここで、端子部３０の構成について詳細に説明する。図５は、実施の形態１にかかる端子部の外観斜視図である。図５に示すように、端子部３０は、導電性の端子部材３１と、２つの導電性のスプリング３２とを備える。端子部材３１は、例えば、金属板に対して打ち抜き加工および折り曲げ加工を行うことによって形成される。
【００２３】
かかる端子部材３１は、先端側に設けられたＹ字状の端子３３と、端子３３の基端に連続する端子ベース３４とを備える。Ｙ字状の端子３３は、上述したように、電源側のねじ端子部１３または負荷側のねじ端子部１４に締め付けられる。
【００２４】
端子ベース３４は、先端側において端子３３の基端を挟む位置に設けられ上方に立ち上がる一対の起立部３４ａと、互いに隣接して配置される２つの孔３４ｂとを有する。各スプリング３２は、Ｕ字状に形成されており、２つの孔３４ｂのうち対応する孔３４ｂに挿入された状態で端子ベース３４に取り付けられる。
【００２５】
スプリング３２の一端は、孔３４ｂから離れる方向に屈曲されており、端子ベース３４に係止される。また、一対の起立部３４ａの各々は、２つのスプリング３２のうち対応するスプリング３２を保持する機能を有する。端子ベース３４は、互いに異なる方向に広がるようにＶ状に屈曲された基端３４ｃを有する。
【００２６】
次に、ケース部４０の構成について詳細に説明する。図６は、実施の形態１にかかる速結端子ユニットのケース部の外観斜視図である。図７は、図６に示すVII−VII線に沿った断面図である。
【００２７】
図６および図７に示すように、ケース部４０は、側壁部４１，４２，４３，４４と仕切壁部４５とによって形成される収納部６０と、収納部６０の上部に形成された第１開口部６１と、収納部６０の側部に形成された第２開口部６２とを有する。収納部６０の上部は、ケース部４０の上部である。収納部６０の側部は、ケース部４０の側部である。
【００２８】
また、ケース部４０は、側壁部４２，４３から突出して回路遮断装置本体１１と係合する一対の係合部４６と、仕切壁部４５の一端から上方に突出し、第２開口部６２を介して互いに対向する一対の突出部４７とを有する。また、側壁部４１には、中央部に形成される第３開口部４１ａと、下方に突出する突出部４１ｂとを有する。
【００２９】
次に、端子部３０のケース部４０への組み込み方法について説明する。図８は、実施の形態１にかかる速結端子ユニットにおける端子部のケース部への組み込み方法を説明するための図である。
【００３０】
図８に示すように、端子部３０は、ケース部４０の上部に形成された第１開口部６１へ端子部３０の先端から順次挿入され、端子部３０の先端が第２開口部６２に挿入される。そして、端子部３０は、先端が第２開口部６２から外部に突出するようにケース部４０の収納部６０に配置される。
【００３１】
また、図８に示すように、端子部３０のケース部４０への組み込みが完了した状態では、端子部３０に形成された起立部３４ａが仕切壁部４５に形成された突出部４７に当接し、端子部３０の基端３４ｃが側壁部４４に当接する。これにより、端子部３０は、ケース部４０の収納部６０に位置決めされた状態でケース部４０に組み込まれる。
【００３２】
このように、端子部３０は、端子部材３１にスプリング３２を取り付けて一体的に形成されており、ケース部４０の第１開口部６１を介して挿入され、先端側の端子３３が第２開口部６２から突出した状態で組み込まれる。このように、速結端子ユニット本体２１では、カバー部５０でスプリング３２を挟み込むことなく、スプリング３２をケース部４０に組み込みことができる。これにより、リベットを用いることなくケース部４０にカバー部５０を取り付けることができる。
【００３３】
したがって、速結端子ユニット本体２１は、例えば、リベットでケース部４０にカバー部５０を取り付ける場合に比べて、速結端子ユニット本体２１の外形に対する制約が少ない。そのため、例えば、速結端子ユニット本体２１の小型化を図ることができる。
【００３４】
次に、カバー部５０の構成について詳細に説明する。図９は、実施の形態１にかかるカバー部の外観斜視図である。図９に示すように、カバー部５０には、凸部５１と、第１ガイド孔５２と、第２ガイド孔５３と、ガイド板５４，５５が形成される。カバー部５０は、ケース部４０の上部に形成された第１開口部６１に挿入され、凸部５１が図６に示す第３開口部４１ａに挿入されることで、ケース部４０に係止される。
【００３５】
第１ガイド孔５２は、不図示の電線の先端がスプリング３２に対して正規の位置に配置されるように、不図示の電線の速結端子ユニット２０への挿入をガイドするガイド孔である。第２ガイド孔５３は、不図示の工具の速結端子ユニット２０への挿入をガイドするガイド孔である。かかる不図示の工具は、速結端子ユニット２０の端子部３０に接続された不図示の電線を速結端子ユニット２０から抜去するために用いられる。
【００３６】
ガイド板５４，５５は、第１ガイド孔５２に挿入された不図示の電線の先端がスプリング３２に対して正規の位置に配置されるように、不図示の電線の速結端子ユニット２０への挿入をガイドする。
【００３７】
次に、端子カバー２２の構成について詳細に説明する。図１０および図１１は、実施の形態１にかかる端子カバーの外観斜視図である。図１０および図１１に示すように、端子カバー２２は、回路遮断器１０のねじ端子部１３，１４の上部を覆う端子カバー本体７１と、端子カバー本体７１の基端から下方に延伸し、ケース部４０に形成される第２開口部６２を塞ぐ開口カバー部７２とを備える。
【００３８】
また、端子カバー２２は、端子カバー本体７１の両側部から下方に延伸し互いに間隔を空けて対向する一対の下垂部７３を有する。各下垂部７３には、凸部７３ａが形成されており、かかる凸部７３ａが図１に示す丸孔１１ｃに挿入されることで、端子カバー２２が回路遮断器１０に取り付けられる。開口カバー部７２は、下方に延伸する開口カバー本体７２ａと、開口カバー本体７２ａの中途部から外方に突出する凸部７２ｂとを有する。
【００３９】
凸部７２ｂは、回路遮断器１０に速結端子ユニット２０が取り付けられた場合に、ケース部４０における側壁部４１の突出部４１ｂと上下方向で対向する位置になる。これにより、回路遮断器１０に速結端子ユニット２０が取り付けられた状態において、端子カバー２２に上方へ向かう力が働いた場合でも、凸部７２ｂが突出部４１ｂによって係止される。そのため、回路遮断装置１００から端子カバー２２が取り外されることを防止することができる。
【００４０】
次に、速結端子ユニット本体２１と端子カバー２２との関係を説明する。図１２は、図１に示すXII−XII線に沿った断面図である。図１３は、実施の形態１にかかる回路遮断装置において端子カバーが取り付けられていない状態の図１に示すXII−XII線に沿った断面図である。図１４は、実施の形態１にかかる回路遮断器に速結端子ユニットを取り付けた状態における速結端子ユニット本体と端子カバーとの位置関係を示す外観斜視図である。
【００４１】
図１３に示すように、回路遮断装置１００において端子カバー２２が取り付けられていない場合、端子部３０の端子部材３１の上方に位置する第２開口部６２が塞がれない。一方、図１２および図１４に示すように、回路遮断器１０に速結端子ユニット２０を取り付けた状態では、図１３に示す第２開口部６２は、端子カバー２２の開口カバー部７２によって覆われる。
【００４２】
このように、端子カバー２２には、開口カバー部７２が設けられており、かかる開口カバー本体７２ａによって、速結端子ユニット本体２１の第２開口部６２を塞ぐことができる。回路遮断器１０の負荷側に速結端子ユニット本体２１を取り付けた場合、図２に示すように、回路遮断器１０に設けられた排気経路１１ｂから近い位置に速結端子ユニット本体２１が配置される。排気経路１１ｂからは、遮断時の溶融物などが排出される場合があるが、上述したように、第２開口部６２は端子カバー２２によって塞がれることから、遮断時の溶融物などが速結端子ユニット本体２１の内部に流入することを抑制することができる。
【００４３】
以上のように、実施の形態１にかかる回路遮断器１０に取り付けられる速結端子ユニット２０は、端子部３０と、絶縁性のケース部４０と、絶縁性のカバー部５０とを備える。端子部３０は、回路遮断器１０の電源側のねじ端子部１３または負荷側のねじ端子部１４に先端側の端子３３が接続され且つ基端側の端子ベース３４にスプリング３２が設けられる。ケース部４０は、端子部３０が挿入される第１開口部６１と端子部３０の先端側の端子３３を外部に突出させる第２開口部６２が設けられる。カバー部５０は、不図示の電線のケース部４０内への挿入をガイドする第１ガイド孔５２と、不図示の電線をケース部４０内から抜去する工具のケース部４０内への挿入をガイドする第２ガイド孔５３を有する。カバー部５０は、第１開口部６１を塞いだ状態でケース部４０に係合される。このように、速結端子ユニット２０は、端子部材３１にスプリング３２を取り付けた状態の端子部３０がケース部４０の第１開口部６１から挿入されてケース部４０に組み込まれる。そのため、カバー部５０でスプリング３２を挟み込むことなく、スプリング３２をケース部４０に組み込みことができる。これにより、リベットを用いることなくケース部４０にカバー部５０を取り付けることができる。
【００４４】
また、速結端子ユニット２０は、ねじ端子部１３，１４を上部から覆い且つ第２開口部６２を塞ぐ端子カバー２２を備える。これにより、例えば、回路遮断器１０の負荷側に速結端子ユニット本体２１を取り付けた場合においても、遮断時の溶融物などが速結端子ユニット本体２１の内部に流入することを抑制することができる。
【００４５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４６】
１０  回路遮断器、１１  回路遮断装置本体、１１ａ  固定爪、１１ｂ  排気経路、１１ｃ  丸孔、１２  可動爪、１３，１４  ねじ端子部、１５，１６  端子ねじ、２０  速結端子ユニット、２１  速結端子ユニット本体、２２  端子カバー、３０  端子部、３１  端子部材、３２  スプリング、３３  端子、３４  端子ベース、３４ａ  起立部、３４ｂ，４９  孔、３４ｃ  基端、４０  ケース部、４１，４２，４３，４４  側壁部、４１ａ  第３開口部、４１ｂ，４７  突出部、４５  仕切壁部、４６  係合部、４８  排気孔、５０  カバー部、５１，７２ｂ，７３ａ  凸部、５２  第１ガイド孔、５３  第２ガイド孔、５４，５５  ガイド板、６０  収納部、６１  第１開口部、６２  第２開口部、７１  端子カバー本体、７２  開口カバー部、７２ａ  開口カバー本体、７３  下垂部、１００  回路遮断装置。
【図１】
2020188796.tif 000003
【図２】
2020188796.tif 000004
【図３】
2020188796.tif 000005
【図４】
2020188796.tif 000006
【図５】
2020188796.tif 000007
【図６】
2020188796.tif 000008
【図７】
2020188796.tif 000009
【図８】
2020188796.tif 000010
【図９】
2020188796.tif 000011
【図１０】
2020188796.tif 000012
【図１１】
2020188796.tif 000013
【図１２】
2020188796.tif 000014
【図１３】
2020188796.tif 000015
【図１４】
2020188796.tif 000016
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
回路遮断器に取り付けられる速結端子ユニットであって、
前記回路遮断器の電源側または負荷側のねじ端子部に先端側が接続され且つ基端側にスプリングが設けられた端子部と、
壁部で外周全体が囲まれ前記端子部が挿入される第１開口部と前記端子部の先端側を外部に突出させる第２開口部が設けられる絶縁性のケース部と、
電線の前記ケース部内への挿入をガイドする第１ガイド孔と、前記電線を前記ケース部内から抜去する工具の前記ケース部内への挿入をガイドする第２ガイド孔を有し、前記第１開口部を塞いだ状態で前記ケース部に係合される絶縁性のカバー部と、を備える
ことを特徴とする速結端子ユニット。
【請求項２】
前記ねじ端子部を上部から覆い且つ前記第２開口部を塞ぐ端子カバーを備える
ことを特徴とする請求項１に記載の速結端子ユニット。
【請求項３】
請求項１または２に記載の速結端子ユニットと、
前記回路遮断器と、を備える
ことを特徴とする回路遮断装置。
【手続補正２】
【補正対象書類名】明細書
【補正対象項目名】０００６
【補正方法】変更
【補正の内容】
【０００６】
上述した課題を解決し、目的を達成するために、本発明の速結端子ユニットは、端子部と、絶縁性のケース部と、絶縁性のカバー部とを備える。端子部は、回路遮断器の電源側または負荷側のねじ端子部に先端側が接続され且つ基端側にスプリングが設けられる。ケース部は、壁部で外周全体が囲まれ端子部が挿入される第１開口部と端子部の先端側を外部に突出させる第２開口部が設けられる。カバー部は、電線のケース部内への挿入をガイドする第１ガイド孔と、電線をケース部内から抜去する工具のケース部内への挿入をガイドする第２ガイド孔を有し、第１開口部を塞いだ状態でケース部に係合される。
【国際調査報告】
2020188796.tif 000017
2020188796.tif 000018